(57)【特許請求の範囲】
【請求項１】
無線通信システムにおけるリンク品質を推定する方法であって、
複数のシンボルを含む制御信号を受信するステップと、
前記制御信号の各受信シンボルに対するチャネル推定値を導出するステップと、
rijを前記制御信号の第iスロットにおける第j受信シンボル、aijを前記制御信号の第iスロットにおける第j送信シンボル、ciを第iスロットにおける前記制御信号のチャネル推定値、Cを過去のチャネル推定値、Npを前記制御信号のスロット当たりのシンボル数、wijを前記チャネル推定値ciに対する重み付け係数、wcを前記過去のチャネル推定値Cに対する重み付け係数、＊を複素共役演算子とするとき、
0004813723.tif 000013
で表される式の第１項によって、前記制御信号の各受信シンボルの前記チャネル推定値への寄与を計算するステップと、
各チャネル推定値を、対応する前記制御信号の受信シンボルのそのチャネル推定値への寄与の関数として補正するステップであって、各チャネル推定値の寄与から、前記式の第２項で表される対応する前記制御信号の受信シンボルに係るバイアスを除去するステップと、
補正後の前記チャネル推定値に基づいてリンク品質測定値を導出するリンク品質測定値導出ステップと、
を有することを特徴とする方法。
【請求項２】
前記リンク品質測定値導出ステップは、前記チャネル推定値に係るビット誤り率を推定するステップを含むことを特徴とする請求項１に記載の方法。
【請求項３】
パイロットシンボルを用いて無線通信システムにおけるリンク品質を推定する方法であって、
複数の既知のパイロットシンボルを前記無線通信システム内の無線受信機に送信するステップと、
送信された前記複数のパイロットシンボルに基づいて、各パイロットシンボルに対するチャネル推定値を計算するステップと、
rijを前記複数のパイロットシンボルの第iスロットにおける第j受信シンボル、aijを前記複数のパイロットシンボルの第iスロットにおける第j送信シンボル、ciを第iスロットにおける前記複数のパイロットシンボルのチャネル推定値、Cを過去のチャネル推定値、Npを前記複数のパイロットシンボルのスロット当たりのシンボル数、wijを前記チャネル推定値ciに対する重み付け係数、wcを前記過去のチャネル推定値Cに対する重み付け係数、＊を複素共役演算子とするとき、
0004813723.tif 000014
で表される式の第１項によって、前記複数のパイロットシンボルの各々の前記チャネル推定値への寄与を計算するステップと、
各チャネル推定値に対応するパイロットシンボルに係る寄与から、前記式の第２項で表される対応する前記パイロットシンボルに係るバイアスを減じることで各チャネル推定値を補正するステップと、
補正後の前記チャネル推定値に基づきリンク品質測定値を生成するリンク品質測定値生成ステップと、
を有することを特徴とする方法。
【請求項４】
前記リンク品質測定値生成ステップは、
前記補正後のチャネル推定値に基づきパイロットシンボルに係るビット列を抽出する抽出ステップと、
抽出した前記ビット列を基準ビット列と比較する比較ステップと、
前記比較ステップでの比較結果に基づきビット誤り率を導出するステップと、
を含むことを特徴とする請求項３に記載の方法。
【請求項５】
前記補正後のチャネル推定値は、各パイロットシンボルに対して生成され、各チャネル推定値は、対応するパイロットシンボルの前記寄与を除外することを特徴とする請求項４に記載の方法。
【請求項６】
無線通信システムにおけるリンク品質を推定する装置であって、
無線受信機において複数のシンボルを含む制御信号を受信する手段と、
前記制御信号の各受信シンボルに対するチャネル推定値を導出する手段と、
rijを前記制御信号の第iスロットにおける第j受信シンボル、aijを前記制御信号の第iスロットにおける第j送信シンボル、ciを第iスロットにおける前記制御信号のチャネル推定値、Cを過去のチャネル推定値、Npを前記制御信号のスロット当たりのシンボル数、wijを前記チャネル推定値ciに対する重み付け係数、wcを前記過去のチャネル推定値Cに対する重み付け係数、＊を複素共役演算子とするとき、
0004813723.tif 000015
で表される式の第１項によって、前記制御信号の各受信シンボルの前記チャネル推定値への寄与を計算する手段と、
各チャネル推定値を、対応する前記制御信号の受信シンボルの前記チャネル推定値への寄与の関数として補正する補正手段であって、各チャネル推定値の寄与から、前記式の第２項で表される対応する前記制御信号の受信シンボルに係るバイアスを除去する手段と、
補正後の前記チャネル推定値に基づきリンク品質測定値を導出するリンク品質測定値導出手段と、
を備えることを特徴とする装置。
【請求項７】
前記リンク品質測定値導出手段は、前記制御信号に係るビット誤り率を推定する手段を含むことを特徴とする請求項６に記載の装置。
【請求項８】
パイロットシンボルを用いて無線通信システムにおけるリンク品質を推定する装置であって、
複数の既知のパイロットシンボルを前記無線通信システム内の無線受信機に送信する手段と、
送信された前記複数のパイロットシンボルに基づき各パイロットシンボルに対するチャネル推定値を計算する手段と、
rijを前記複数のパイロットシンボルの第iスロットにおける第j受信シンボル、aijを前記複数のパイロットシンボルの第iスロットにおける第j送信シンボル、ciを第iスロットにおける前記複数のパイロットシンボルのチャネル推定値、Cを過去のチャネル推定値、Npを前記複数のパイロットシンボルのスロット当たりのシンボル数、wijを前記チャネル推定値Ciに対する重み付け係数、wcを前記過去のチャネル推定値Cに対する重み付け係数、＊を複素共役演算子とするとき、
0004813723.tif 000016
で表される式の第１項によって、前記複数のパイロットシンボルの各々の前記チャネル推定値への寄与を計算する手段と、
各チャネル推定値に対応するパイロットシンボルに係る寄与から、前記式の第２項で表される対応する前記パイロットシンボルに係るバイアスを減じることで各チャネル推定値を補正する手段と、
補正後の前記チャネル推定値に基づきリンク品質測定値を生成するリンク品質測定値生成手段と、
を備えることを特徴とする装置。
【請求項９】
前記リンク品質測定値生成手段は、
前記補正後のチャネル推定値に基づき前記パイロットシンボルに係るビット列のデータを検出する手段と、
検出した前記ビット列を既知のビット列と比較する手段と、
前記比較の結果に基づきビット誤り率を導出する手段と、
を含むことを特徴とする請求項８に記載の装置。
【請求項１０】
前記補正後のチャネル推定値は、各パイロットシンボルに対して生成され、各チャネル推定値は、対応するパイロットシンボルの前記寄与を除外することを特徴とする請求項９に記載の装置。
【発明の詳細な説明】
【０００１】
（発明の背景）
発明の技術分野
本発明は無線通信の分野に関する。具体的には、本発明は、例えばパイロット信号を含む制御信号からのビット誤り率推定値の計算、および、その結果からの無線通信システムのリンク品質の測定に関する。
【０００２】
発明の背景に関する情報
無線通信においては、ビット誤り率（ＢＥＲ）推定値は有用なリンク品質情報となりうる。ＢＥＲは一般に、エアインタフェースによる伝送中に実際に信号にビット誤りが生じる頻度をいう。ＢＥＲが大きいと信号品質に悪影響を及ぼすおそれがあるので、ＢＥＲを低減することが強く望まれる。
【０００３】
伝送レートおよびＢＥＲの２つはリンク品質を決定すると考えられるファクタであり、この２つのファクタには直接的な関係がある。一般に、伝送レートが高ければＢＥＲが高くなる。逆に、伝送レートが低ければＢＥＲは低くなる。しかし、信号品質と伝送レートの両方を向上させたいということを考えれば、低いＢＥＲを得るために伝送レートを低くするという選択は採りたくないところである。
【０００４】
高いＢＥＲを引き起こす要因は伝送レートの他にもある。例えば、高い干渉レベル、低い信号強度レベル、フェージングなどである。
【０００５】
ＢＥＲ推定値はさまざまな方法で計算することができる。例えば、ＢＥＲを推定する一方法としては、チャネルデコーダの出力を再符号化（re-encode）して、そのチャネルデコーダの出力を再符号化したものとそのチャネルデコーダの入力とを比較するものがある。一般に、これらのＢＥＲ推定値は伝送中にしか生成されないので、そのぶん伝送遅延が増すことになる。信号によっては、特に音声信号は、伝送遅延の影響を大きく受けやすいため、いかなる方法であれ、伝送遅延が増えてしまうのは望ましいことではない。
【０００６】
通信システムは一般に、例えば音声リンクでの無音期間中に、データ情報に加え制御情報を伝送する。よって、伝送中にＢＥＲを推定する場合の上記問題点を回避するための一方法は、ＢＥＲを推定するためのデータ情報ではなく制御情報を利用することである。
【０００７】
制御情報は、パイロットシンボル等の既知の情報シンボルを含む場合が多い。パイロットシンボルは、所定の伝送チャネルに係る多数の受信信号の各々に対する時間遅延、利得、位相等を推定するのに使用される。これらの時間遅延、利得、位相の推定値は共に、チャネル・インパルス応答とよばれるものを形成する。
【０００８】
符号分割多元接続（CDMA）ベースのシステムの多くはRAKE受信機を使用する。CDMAは、伝送信号が通信チャネル内で広帯域にわたって拡散されるスペクトル拡散通信の一形態である。一般に、RAKE受信機は、（例えばマルチパス・チャネルに係る）受信信号の分解可能な成分とともに到来するエネルギーを収集し合成する。RAKE受信機によって、いくつかの伝搬経路からの信号エネルギーは、いくつかのフィンガーから受信したものとして１つに合成され、または“熊手でかき集められる（レイクされる）”。RAKE受信機は、例えばパイロットシンボルのような制御信号を用いてＢＥＲを測定するのに使用することができる。
【０００９】
RAKE受信機は周知の通信技術である。通信システムにおけるRAKE受信機の使用を説明するものとして、次の２つの論文がある。
・Abeta他、"Performance Comparison between Time-Multiplexed Pilot Channel and Parallel Pilot Channel for Coherent RAKE Combining in DS-CDMA Mobile Radio", pages 1417-1425 (1998)
・Andoh他、"Channel Estimation Filter Using Time-Multiplexed Pilot Channel for Coherent RAKE combining in DS-CDMA Mobile Radio", pages 1517-1525 (1998)
また、米国特許第5,329,547号（発明の名称："Method and Apparatus for Coherent Communication in a Spread-Spectrum Communication System"）は、コヒーレント通信を容易にするためのスペクトル拡散システムにおける符号化／復号化の方法を開示している。
【００１０】
信号の分解可能な成分それぞれのエネルギーを合成するために、RAKE受信機は各RAKEフィンガーに対するチャネル推定値ciを生成する必要があることは容易に認識されるところである。RAKE受信機の所定のRAKEフィンガーに対するチャネル推定値ciは次の式（１）で表される。
【００１１】
0004813723.tif 000002
【００１２】
ただし、シンボルはスロット内でグループ化されると仮定する。図１は、スロット１０４の一例を示す図である。図示の如く、スロット（SLOT）１０４は、１または２以上のパイロットシンボルri,jを含む部分（PILOT）１０２、および、データ部分（DATA）１０３を有する。ここで、スロットiにおけるパイロットシンボルri,jの位置がｊで表されるものとし、また、Npはスロットiの部分１０２内のパイロットシンボルの数を表し、kpはスロットiの部分１０２内のパイロットシンボルに割り当てられた位置jの数を表している。式（１）において、a*i,kは送信されたパイロットシンボルri,kiに係る複素共役演算子を表している。そして、チャネル推定値ciに係るビット列が既知のビット列と比較されうる。この比較に基づいて、ＢＥＲを導出することができる。
【００１３】
パイロットシンボルのような制御信号情報を用いてＢＥＲを導出することには欠点がある。特に、受信したパイロットシンボルをチャネル推定とＢＥＲ推定の両方に用いる場合には、ＢＥＲ推定値がバイアスされてしまうのである。系統的な偏移（systemic deviation）や基準値からの値の変動があると、バイアスが生じる。この原因は、シンボルから生じるチャネル推定の一部によって、チャネルの影響のために受信シンボルが修正されたときにその受信シンボルの推定に加えられるべき送信シンボルの実数の正の端数部分が生じてしまうことによるものである。これにより、ＢＥＲが少なく見積もられてしまい、真のＢＥＲを精度よく反映したものにならない。
【００１４】
式（２）は、１のRAKEフィンガーに係るチャネル推定値に対する、パイロットシンボルrijの推定した寄与（contribution）を導出するのに用いることができる関係を表すものである。ここで、wcを過去のチャネル推定値Ｃに係る実数の正の重み付け係数、wi,jをチャネル推定値ciに対する実数の正の重み付け係数とする。
【００１５】
0004813723.tif 000003
【００１６】
式（３）は、所定のRAKE受信機フィンガーに係る、スロットiにおける第jシンボルに対する、受信シンボルの寄与a^i,jをいかに見積もるかを説明するものである。式（３）は、式（１）を式（２）に代入して得られることは理解されよう。
【００１７】
0004813723.tif 000004
【００１８】
第jシンボルがチャネル推定値に寄与する場合にはバイアスを分離して、バイアスの寄与を推定することができる。これは、次の式（４）における第２項、(ri,jr*i,jai,j)(wi,j/Np)/(wi,j+wc) で示される。
【００１９】
0004813723.tif 000005
【００２０】
式（４）に示されるように、同式第２項における送信シンボルai,jには、複素数値のみをとる受信シンボルri,jが実数の正の係数として乗じられるとともに、その複素共役値が乗じられる。
【００２１】
バイアスを除去しても、その他に課題がまだ残っている。複数の過去のチャネル推定値の平均をとることもなく、１つだけのパイロットシンボルに基づき上記のチャネル推定値を計算する場合には、式（４）の第１項は０となりうる。この計算によれば、隣接シンボルのデコードのためにチャネル推定を用いることも可能になる。しかし、チャネル推定が基礎とする復調されたパイロットシンボルは、送信パイロットシンボルのように常に同じ位相シフトを有することになる。
【００２２】
その他のケースでは、チャネル推定値は１以上のパイロットシンボルまたは複数の過去の推定値の平均値に基づいて計算されるが、パイロットシンボルはそれぞれ他のパイロットシンボルのチャネル推定の寄与の影響を受ける。この問題は軽減されるものの解消されるわけではない。ＢＥＲおよびリンク品質を精度よく求め、上記したいくつかの欠点を解決する方法を開発することが有用であろう。
【００２３】
（発明の概要）
本発明は、ＢＥＲ推定値の生成を含むものである。ＢＥＲ推定値は無線通信システムにおけるリンク品質の測定に用いられる。具体的には、本発明はバイアスされていない未加工のビット誤り推定値をパイロットシンボルのような制御信号から生成する。
【００２４】
本発明の目的の一つは、余分なシグナリングのオーバヘッドを増加させることなくビット誤り推定値を生成することである。
【００２５】
本発明の目的の一つは、ＢＥＲ推定を精度よく求め、それによりリンク品質を改善させることである。
【００２６】
本発明の別の目的は、より精度のよいチャネル推定方法を提供することである。
【００２７】
第１の実施形態によれば、無線通信システムにおけるリンク品質を推定する方法が提供される。制御信号を受信し、各制御信号に対してチャネル推定値を導出する。各制御信号のチャネル推定値への寄与を計算する。各チャネル推定値を、対応する制御信号のチャネル推定値への寄与の関数として補正する。そして、補正したチャネル推定値に基づきリンク品質測定値を導出する。
【００２８】
第２の実施形態によれば、パイロットシンボルを用いて無線通信システムにおけるリンク品質の推定を行う装置が提供される。無線通信システムにおいて多数の既知のパイロットシンボルを無線受信機に送信する手段と、送信されてきた前記多数のパイロットシンボルに基づいて、各パイロットシンボルに対する個別のチャネル推定値を計算する手段とを有する。各チャネル推定値に対し、対応するパイロットシンボルに係る寄与が計算される。その対応するパイロットシンボルに係る寄与を、各チャネル推定値から減算することによって各チャネル推定値を補正する手段を有する。そして、補正後のチャネル推定値に基づいて、リンク品質測定値が導出される。
【００２９】
（発明の詳細な説明）
本発明は無線通信システムにおけるリンク品質の測定を含むものである。一般に、リンク品質は、通信信号を無線受信機に伝送するチャネルに対するチャネル推定値を導出することによって測定される。ここで、通信信号は一般に、制御信号部分とデータ信号部分を有する。その後、チャネル推定値を、制御信号のそのチャネル推定値への寄与の関数として補正する。そして、補正後のチャネル推定値に基づいて、リンク品質測定値が導出される。
【００３０】
図２は、ある通信リンクに係るリンク品質を導出するための方法を示すフローチャートである。図２のステップ２００で、通信リンクに係る受信機で通信信号を受信する。ステップ２０２で、通信信号の制御信号部分を抽出する。
【００３１】
図２のステップ２０４で、受信信号に対するチャネル推定値を導出する。チャネル推定値を得るための公知の方法は数多くある。あるチャネル推定手法によれば、通信信号の各信号要素の寄与が比較評価される。有効なチャネル推定処理は、各種信号の寄与の効果が通信信号のデータ伝送にどの程度影響を及ぼすのかを精度よく反映すべきである。チャネル推定のステップは通信信号を歪ませる他の信号成分を除去する処理も含むことは認識されよう。
【００３２】
ステップ２０５では、制御信号部分のチャネル推定値への寄与を計算する。ステップ２０６では、チャネル推定値を、制御信号のチャネル推定への寄与の関数として補正する。
【００３３】
ステップ２０８では、補正後のチャネル推定値に基づいてリンク品質測定値を導出する。リンク品質は、リンクの状態がどの程度良好またはロバストであるかを示す測定値である。リンク品質は、ＢＥＲ、ＳＮＲ、待ち時間（latency）等の１または２以上のリンク品質パラメータの観点から測定することができることは理解されよう。
【００３４】
図３は、ある通信リンクに係るリンク品質を導出するための手法を示すフローチャートであり、ここでは１または２以上のパイロットシンボルに基づいてチャネル推定が行われる。ステップ３００で、通信信号を受信する。ステップ３０２で、通信信号から、１または２以上のパイロットシンボルに係るビット値を抽出する。ステップ３０４では、送信されてきたパイロットシンボルに基づいて、各パイロットシンボルに対するチャネル推定値を得る。ステップ３０６では、ステップ３０４で得た各チャネル推定値に対し、対応するパイロットシンボルのチャネル推定値への寄与を計算する。
【００３５】
図３のステップ３０８では、各パイロットシンボルの寄与を、対応するチャネル推定値から減じる。そして、ステップ３１０で、対応するパイロットシンボルに係る寄与によって補正したチャネル推定値に基づいて、リンク品質を測定する。
【００３６】
先述したように、ＢＥＲはリンク品質に関する重要なファクタの１つである。図４は、ステップ３１０に係るリンク品質を導出する手法の一例を示すフローチャートである。図４に示すように、ステップ４１０では、ステップ３０８で得られたチャネル推定値を用いて、１または２以上のパイロットシンボルに係るビット列を抽出する。ステップ４１２で、このビット列を、比較用の参照ベースラインとしての役を果たす既知のビット列と比較する。そして、両者のビット列の比較評価に基づいて、リンク品質をＢＥＲの観点から求める。
【００３７】
図５は、本発明の実施形態に係る複数のパイロットシンボルの各々に対するチャネル推定値を導出する（ステップ３０４の）手法を示すフローチャートである。ステップ５００ではまず、変数kおよび変数SUMを初期化する。変数kは、スロットiにおける各パイロットシンボルの位置を示すものである。変数SUMは、後述するようなパイロットシンボルとそれに対応する複素共役演算子との積和を示すものである。
【００３８】
ステップ５０２では、変数kが、スロットiにおける特定のパイロットシンボルの位置を示す変数jと等しいか否かを判断する。変数kが変数jと等しいときは、位置k=jに係るパイロットシンボルと複素共役演算子との積和を演算することなく、このステップ５０２のＹＥＳ経路に沿ってステップ５０８に進む。他方、変数kがｊと等しくない場合には、このステップ５０２のＮＯ経路に沿ってステップ５０４に進む。
【００３９】
ステップ５０４では、パイロットシンボルri,kとそれに対応する複素共役演算子a*i,kとの乗算を行う。次にステップ５０６で、その乗算結果を変数SUMに加算する。続いて、ステップ５０８で変数kをインクリメントし、ステップ５１０で、変数kは変数kpより大きいか否かを判断する。
【００４０】
変数kが変数kp以下であるときは、このステップ５１０のＮＯ経路に沿ってステップ５０４に戻り、次のパイロットシンボルとそれに対応する複素共役演算子との積を求める。他方、変数kが変数kpよりも大きいときは、ステップ５１０のＹＥＳ経路に沿ってステップ５１２に進み、変数SUMを 1/(Np-1) の係数でスケーリングする。
【００４１】
図５のフローチャートに示した手法は次式（５）に示す関係により実現される。
【００４２】
0004813723.tif 000006
【００４３】
図６は、オリジナルのチャネル推定値ciとスロットiにおける位置jのパイロットシンボルに係る補正項Tcorrとに基づいて、補正されたチャネル推定値c'i,jを導出する（ステップ３０８の）手法を示すフローチャートである。図示のように、ステップ６００でまず、変数kおよび変数SUMを初期化する。ステップ６０２では、スロットiにおける位置kのパイロットシンボルri,kと複素共役演算子a*i,kとの乗算を行う。次にステップ６０４で、スロットiにおける位置kのパイロットシンボルri,kと複素共役演算子a*i,kとの乗算結果を、変数SUMに加算する。続いてステップ６０６で、変数kをインクリメントし、ステップ６０８で、変数kがkpより大きいか否かを判断する。現時点でオリジナルのチャネル推定値ciは変数SUMの値に等しい。
【００４４】
変数kが変数kp以下である場合には、ステップ６０２に戻り、スロットiにおける次の位置のパイロットシンボルと複素共役演算子との積を求める。他方、変数kが変数kpよりも大きいときは、ステップ６０８のＹＥＳ経路に沿ってステップ６１０に進み、オリジナルのチャネル推定値ciを Np/(Np-1) の係数でスケーリングする。
【００４５】
ステップ６１２では、変数kを変数jに等しい値に設定する。そして、ステップ６１４で、位置jのパイロットシンボルと複素共役演算子との積を求める。次にステップ６１６で、1/(Np-1) の係数でスケーリングし、補正項Tcorrを導出する。そして、ステップ６１８で、スケーリングされたチャネル推定値ci(scaled)から補正項Tcorrを減じることにより、補正されたチャネル推定値c'ijを導出する。
【００４６】
図６のフローチャートに示した手法は、次式（６）に示す関係により実現される。
【００４７】
0004813723.tif 000007
【００４８】
バイアスのないパイロットシンボルを復調すべく、補正したチャネル推定値を用いる場合、次式（７）は、オリジナルのチャネル推定値ciを用いて受信シンボルの第１の推定が行われ、そこからバイアスが減じられるようすを示している。受信シンボルの第１の推定は式（７）第１項で表され、バイアスは同式第２項で表されることを注釈しておく。
【００４９】
0004813723.tif 000008
【００５０】
式（７）において、RAKE受信機の所定のRAKEフィンガーに対するチャネル推定値は以下の変数の関数として計算される。すなわち、ri,jは受信シンボル、wi,jはチャネル推定値ciに対する実数の正の重み付け係数である。また、演算子“＊”は複素共役を表しており、ここで、wcは過去のチャネル推定値Cに係る実数の正の重み付け係数、wi,jはチャネル推定値ciおよびスケーリング係数Np/(Np-1)に対する実数の正の重み付け係数である。
【００５１】
１のみのスロットまたはデータブロックからのパイロットシンボルをチャネル推定に用いる特殊な場合において、次式（８）が適用可能であり、ここで、wi,jは１、wcは０に等しい。この特殊なケースでは、バイアスされ復調されたパイロットシンボルの１のRAKE受信機フィンガーに対する寄与が、式（８）第１項によって与えられるように通常どおりに生成される。そして、受信シンボルri,jは、オリジナルのチャネル推定値ciの共役と乗算される。バイアスのないチャネル推定値は、復調されたパイロットシンボルの寄与の数の変更のため、および、式（８）第２項で与えられるバイアスの減算のために、Np/(Np-1)でスケーリングされる。
【００５２】
0004813723.tif 000009
【００５３】
複数スロットからの複数のパイロットシンボルをチャネル推定に用いる場合には、平均化アルゴリズムまたは補間アルゴリズムを用いて異なるデータを吸収することが可能である。次式（９）、（10）、（11）は、使用可能な平均化手法および補間手法の例をいくつか示すものである。式（９）では、例えば、現在のスロットからのチャネル推定値ciが過去のスロットからのチャネル推定値（すなわち、C＝ci）で平均化される。ここで、wi,j=wc=1/2である。
【００５４】
0004813723.tif 000010
【００５５】
式（10）では、チャネル推定値が指数フィルタリングされて平均チャネル推定値（すなわち、Ci+1=(1-α)Ci+αCi）が生成される。ただし、αは指数フィルタ係数であり、wi,j=α、wc=1-αである。
【００５６】
0004813723.tif 000011
【００５７】
最後に、式（11）では、スロット内のシンボルの位置に応じてチャネル推定値が補間される。ここで、w1は補間始点、Δwはインクリメント幅であり、C=ci-1，wi,j=w1+jΔw，wc=w1+(Np-j)Δw である。
【００５８】
0004813723.tif 000012
【００５９】
以上の記載は例示、説明として位置づけにすぎず、本発明は、上述の記載に限定されるものではない。添付図面は本発明の理解を深めるためのものであり、本発明の一実施形態を説明するものとして本明細書の一部を構成する。図面は明細書の記述とともに、本発明の原理の説明に供するものであって、本発明の範囲を限定することを意図したものではない。
【図面の簡単な説明】
【図１】  パイロットシンボルを含むデータスロットの一例を示す図である。
【図２】  本発明の実施形態における、受信制御信号からリンク品質を導出する処理を示すフローチャートである。
【図３】  本発明の別の実施形態における、受信制御信号であるパイロットシンボルからリンク品質を導出する処理を示すフローチャートである。
【図４】  本発明の別の実施形態における、ＢＥＲを導出する処理を示すフローチャートである。
【図５】  オリジナルのチャネル推定値および補正項に基づき補正チャネル推定値を導出する処理を示すフローチャートである。
【図６】  オリジナルのチャネル推定値ciおよび補正項Tcorrに基づき補正チャネル推定値C'ijを導出する手法を示すフローチャートである。
【図１】
0004813723.tif 000017
【図２】
0004813723.tif 000018
【図３】
0004813723.tif 000019
【図４】
0004813723.tif 000020
【図５】
0004813723.tif 000021
【図６】
0004813723.tif 000022